【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
硬化を引き起こす特定の光線の作用により感光性物質（３）を層ごとに又は連続的に硬化することで３次元対象物（２）を製造するためのステレオリソグラフィ装置であって、
該ステレオリソグラフィ装置は、
支持装置（７）と、
硬化を引き起こす光線（８０）を発生させるための光源（８）と、
前記支持装置上に位置決め可能で取り外し可能な少なくとも１つのカートリッジ装置（５，６）とを含み、前記カートリッジ装置（５，  ６）は、シェル（１４）により包囲された内部空間を有し、前記シェルの少なくとも１つの部分領域が、硬化を引き起こす前記光線に対して透過性に構成され、
前記カートリッジ装置（５，６，１０，２０，３０，４０）の前記シェル（１４，１４１，１４２，１４３，１４４，２４，３４，４４）は、変形可能であり、前記シェルにより包囲された前記内部空間（１４０，２４０，３４０，４４０）は、少なくとも部分的に受容空間（４）により構成される容積部を有し、前記受容空間（４）内には、照射及び硬化過程の少なくとも一期間の間、所定量の感光性物質（３）が受容可能であり、前記光線が到達可能であること
を特徴とするステレオリソグラフィ装置。
【請求項２】
前記カートリッジ装置（５，６）は、前記支持装置（７）に取り外し可能に固定可能であること
を特徴とする、請求項１に記載のステレオリソグラフィ装置。
【請求項３】
前記シェルの変形可能な領域は、一部材式で構成されていること
を特徴とする、請求項１又は２に記載のステレオリソグラフィ装置。
【請求項４】
前記内部空間（１４０）の前記容積部は、大部分が、又は全部が、前記受容空間（４）により構成されていること
を特徴とする、請求項１〜３のいずれか一項に記載のステレオリソグラフィ装置。
【請求項５】
前記シェルにより包囲された前記内部空間（１４０）は、前記シェルの変形中に実質的に一定の容積を有すること
を特徴とする、請求項１〜４のいずれか一項に記載のステレオリソグラフィ装置。
【請求項６】
前記シェルは、前記カートリッジ装置の高さに関して可逆的な圧縮が可能であるように変形可能であること
を特徴とする、請求項１〜５のいずれか一項に記載のステレオリソグラフィ装置。
【請求項７】
前記シェル（１４，２４，３４，１４１，１４２，１４３，１４４）は、それ自体が折り畳み可能であり且つ少なくとも１つの基準面（４１，４２）を有する幾何学形状を有すること
を特徴とする、請求項１〜６のいずれか一項に記載のステレオリソグラフィ装置。
【請求項８】
前記シェルは、底部と、上部と、これらの底部と上部をつなぐ外殻部とを有すること
を特徴とする、請求項１〜７のいずれか一項に記載のステレオリソグラフィ装置。
【請求項９】
前記シェルの前記底部、及び／又は前記外殻部は、感光性物質を供給又は排出するための、及び／又は所定の溶剤を前記内部空間へ供給又は前記内部空間から排出するための、少なくとも１つの開口部を形成するために、少なくとも１つの穴開け可能な領域を有すること
を特徴とする、請求項８に記載のステレオリソグラフィ装置。
【請求項１０】
前記外殻部、及び／又は前記底部は、ガス又は混合ガス（１９）に対し、又は酸素又は空気に対し、透過性に構成されていること
を特徴とする、請求項８又は９に記載のステレオリソグラフィ装置。
【請求項１１】
前記シェルは、上面部及び／又は側方において、閉鎖可能な開口部を有し、該開口部を通って感光性物質が前記内部空間内へ供給可能であり前記内部空間から排出可能であること
を特徴とする、請求項１〜１０のいずれか一項に記載のステレオリソグラフィ装置。
【請求項１２】
前記シェルは、前記開口部を密封するための密封要素を有すること
を特徴とする、請求項１１に記載のステレオリソグラフィ装置。
【請求項１３】
前記開口部は、閉鎖要素（１１，２１，１００，２００，３００，４００，５００）により閉鎖可能であり、該閉鎖要素は、感光性物質の硬化された層の支持体として構成されていること
を特徴とする、請求項１１又は１２に記載のステレオリソグラフィ装置。
【請求項１４】
前記カートリッジ装置は、前記内部空間内で可動なコンポーネントを有し、該コンポーネントは、前記カートリッジ装置内で、幾何学形状的な形式、機械的な形式、又は磁気的な形式の案内部を介して案内されていること
を特徴とする、請求項１〜１３のいずれか一項に記載のステレオリソグラフィ装置。
【請求項１５】
前記カートリッジ装置は、前記内部空間を上方に向かって境界付けて閉じる閉鎖部材（１００，２００，３００，４００，５００，１１，２１）を有し、該閉鎖部材は、交換可能であること
を特徴とする、請求項１〜１４のいずれか一項に記載のステレオリソグラフィ装置。
【請求項１６】
前記閉鎖部材は、前記内部空間に指向する面に形成されている幾何学形状的な穴部を有すること
を特徴とする、請求項１５に記載のステレオリソグラフィ装置。
【請求項１７】
前記閉鎖部材は、複数部材式で構成されており、１つの感光性物質又は複数の感光性物質が保管可能である少なくとも１つの領域（１０１）を有すること
を特徴とする、請求項１５又は１６に記載のステレオリソグラフィ装置。
【請求項１８】
感光性物質の容器（１０１，３１２，４０１，４０４）を受容するための領域が設けられていること
を特徴とする、請求項１７に記載のステレオリソグラフィ装置。
【請求項１９】
前記閉鎖部材は、少なくとも１つの組み込まれたピストン（３０１）を有し、該ピストンのストローク運動により感光性物質の流出が配量可能であること
を特徴とする、請求項１５〜１８のいずれか一項に記載のステレオリソグラフィ装置。
【請求項２０】
前記ピストン（３０１）は、前記閉鎖部材内にある容器（３１２）の容器の穴開け又は開放のための装置（３０５）を有すること
を特徴とする、請求項１９に記載のステレオリソグラフィ装置。
【請求項２１】
前記ピストンは、溶剤、及び／又は、ガス、混合ガス、窒素若しくは空気を供給するための装置を有すること
を特徴とする、請求項１９又は２０に記載のステレオリソグラフィ装置。
【請求項２２】
前記カートリッジ装置は、酸素に対して透過性であり且つ少なくとも一部材式で構成された底部を含むこと
を特徴とする、請求項１〜２１のいずれか一項に記載のステレオリソグラフィ装置。
【請求項２３】
製造された３次元対象物の取り外しを容易にする振動を発生させるための装置が設けられていること
を特徴とする、請求項１〜２２のいずれか一項に記載のステレオリソグラフィ装置。
【請求項２４】
複数のカートリッジ装置（５，６）が該ステレオリソグラフィ装置へ取り付け可能であること
を特徴とする、請求項１〜２３のいずれか一項に記載のステレオリソグラフィ装置。
【請求項２５】
ステレオリソグラフィ装置において使用するためのカートリッジ装置（５，６，１０，２０，３０，４０）であって、
該カートリッジ装置は、シェル（１４，１４１，１４２，１４３，１４４，２４，３４，４４）により包囲された内部空間（１４０，２４０，３４０，４４０）を有し、該カートリッジ装置の前記シェルは、変形可能であり、前記内部空間（１４０，２４０，３４０，４４０）は、少なくとも部分的に受容空間（４）により構成される容積部を有し、前記受容空間内には、照射及び硬化過程の少なくとも一期間の間、所定量の感光性物質（３）が受容可能であり、感光性物質の硬化を引き起こす光線（８０）が到達可能であること
を特徴とするカートリッジ装置。
【請求項２６】
該カートリッジ装置は、ステレオリソグラフィ装置へ取り外し可能に取り付け可能であること
を特徴とする、請求項２５に記載のカートリッジ装置。
【請求項２７】
情報支持体（５０２，５０３）が設けられており、該情報支持体は、感光性物質に関する情報、及び／又は３次元対象物の製造の過程のプロセスパラメータを保持すること
を特徴とする、請求項２５又は２６に記載のカートリッジ装置。
【手続補正２】
【補正対象書類名】明細書
【補正対象項目名】００１３
【補正方法】変更
【補正の内容】
【００１３】
また上記の課題は、上記の形式のステレオリソグラフィ装置において使用するためのカートリッジ装置（カートリッジシステム）によっても解決され、この際、カートリッジ装置は、シェルにより包囲された内部空間を有し、この際、カートリッジ装置のシェルは、変形可能であり、更に内部空間は、少なくとも部分的に受容空間により構成される容積部を有し、受容空間内には、照射及び硬化過程の少なくとも一期間の間、所定量の感光性物質が受容可能であり、感光性物質の硬化を引き起こす光線が到達可能（硬化を引き起こす光線により照射可能）である。
なお、特許請求の範囲に付記した図面参照符号は専ら発明の理解を助けるためのものに過ぎず、本発明を図示の態様に限定することは意図していない。
【手続補正３】
【補正対象書類名】明細書
【補正対象項目名】００１４
【補正方法】変更
【補正の内容】
【００１４】
以下、発明を実施するための形態について説明する。
本発明において少なくとも下記の形態が可能である。
（形態１）
硬化を引き起こす特定の光線の作用により感光性物質を層ごとに又は連続的に硬化することで３次元対象物を製造するためのステレオリソグラフィ装置であって、
該ステレオリソグラフィ装置は、
支持装置と、
硬化を引き起こす光線を発生させるための光源と、
前記支持装置上に位置決め可能で取り外し可能な少なくとも１つのカートリッジ装置とを含み、前記カートリッジ装置は、シェルにより包囲された内部空間を有し、前記シェルの少なくとも１つの部分領域が、硬化を引き起こす前記光線に対して透過性に構成され、
前記カートリッジ装置の前記シェルは、変形可能であり、前記シェルにより包囲された前記内部空間は、少なくとも部分的に受容空間により構成される容積部を有し、前記受容空間内には、照射及び硬化過程の少なくとも一期間の間、所定量の感光性物質が受容可能であり、前記光線が到達可能であること。
（形態２）
前記カートリッジ装置は、前記支持装置に取り外し可能に固定可能であること
を特徴とする、好ましくは形態１に記載のステレオリソグラフィ装置。
（形態３）
前記シェルの変形可能な領域は、一部材式で構成されており、好ましくは柔軟な材料から構成されていること
を特徴とする、好ましくは形態１又は２に記載のステレオリソグラフィ装置。
（形態４）
前記内部空間の前記容積部は、大部分が、好ましくは全部が、前記受容空間により構成されていること
を特徴とする、好ましくは形態１〜３のいずれか一に記載のステレオリソグラフィ装置。
（形態５）
前記シェルにより包囲された前記内部空間は、前記シェルの変形中に実質的に一定の容積を有すること
を特徴とする、好ましくは形態１〜４のいずれか一に記載のステレオリソグラフィ装置。
（形態６）
前記シェルは、前記カートリッジ装置の高さに関して可逆的な圧縮が可能であるように変形可能であること
を特徴とする、好ましくは形態１〜５のいずれか一に記載のステレオリソグラフィ装置。
（形態７）
前記シェルは、それ自体が折り畳み可能であり且つ少なくとも１つの基準面（４１，４２）を有する幾何学形状を有すること
を特徴とする、好ましくは形態１〜６のいずれか一に記載のステレオリソグラフィ装置。
（形態８）
前記シェルは、底部と、上部と、これらの底部と上部をつなぐ外殻部とを有し、好ましくは  該外殻部が変形可能であること
を特徴とする、好ましくは形態１〜７のいずれか一に記載のステレオリソグラフィ装置。
（形態９）
前記シェルの前記底部、及び／又は前記外殻部は、感光性物質を供給又は排出するための、及び／又は所定の溶剤を前記内部空間へ供給又は前記内部空間から排出するための、少なくとも１つの開口部を形成するために、少なくとも１つの穴開け可能な領域、好ましくは弱化された領域、を有すること
を特徴とする、好ましくは形態８に記載のステレオリソグラフィ装置。
（形態１０）
前記外殻部、及び／又は前記底部は、ガス又は混合ガスに対し、特に酸素又は空気に対し、透過性で構成されていること
を特徴とする、好ましくは形態８又は９に記載のステレオリソグラフィ装置。
（形態１１）
前記シェルは、上面部及び／又は側方において、閉鎖可能な開口部を有し、該開口部を通って感光性物質が前記内部空間内へ供給可能であり前記内部空間から排出可能であること
を特徴とする、好ましくは形態１〜１０のいずれか一に記載のステレオリソグラフィ装置。
（形態１２）
前記シェルは、前記開口部を密封するための密封要素を有すること
を特徴とする、好ましくは形態１１に記載のステレオリソグラフィ装置。
（形態１３）
前記開口部は、好ましくは一部材式で構成されている閉鎖要素により閉鎖可能であり、該閉鎖要素は、好ましくは、感光性物質の硬化された層の支持体として構成されていること
を特徴とする、好ましくは形態１１又は１２に記載のステレオリソグラフィ装置。
（形態１４）
前記カートリッジ装置は、前記内部空間内で可動なコンポーネントを有し、該コンポーネントは、前記カートリッジ装置内で、幾何学形状的な形式、機械的な形式、又は磁気的な形式の案内部を介して案内されていること
を特徴とする、好ましくは形態１〜１３のいずれか一に記載のステレオリソグラフィ装置。
（形態１５）
前記カートリッジ装置は、前記内部空間を上方に向かって境界付けて閉じる閉鎖部材を有し、該閉鎖部材は、交換可能であり、好ましくは全体的に堅固であること
を特徴とする、好ましくは形態１〜１４のいずれか一に記載のステレオリソグラフィ装置。
（形態１６）
前記閉鎖部材は、前記内部空間に指向する面に形成されている幾何学形状的な穴部を有すること
を特徴とする、好ましくは形態１５に記載のステレオリソグラフィ装置。
（形態１７）
前記閉鎖部材は、複数部材式で構成されており、１つの感光性物質又は複数の感光性物質が保管可能である少なくとも１つの領域を有すること
を特徴とする、好ましくは形態１５又は１６に記載のステレオリソグラフィ装置。
（形態１８）
感光性物質の容器を受容するための領域が設けられており、好ましくは、前記容器の穴開けのための手段（１０５，３０５）が設けられていること
を特徴とする、好ましくは形態１７に記載のステレオリソグラフィ装置。
（形態１９）
前記閉鎖部材は、少なくとも１つの組み込まれたピストンを有し、該ピストンのストローク運動により感光性物質の流出が配量可能であること
を特徴とする、好ましくは形態１５〜１８のいずれか一に記載のステレオリソグラフィ装置。
（形態２０）
前記ピストンは、前記閉鎖部材内にある容器、特に感光性物質の容器の穴開け又は開放のための装置を有すること
を特徴とする、好ましくは形態１９に記載のステレオリソグラフィ装置。
（形態２１）
前記ピストンは、溶剤、及び／又は、ガス又は混合ガス、特に窒素又は空気を供給するための装置を有すること
を特徴とする、好ましくは形態１９又は２０に記載のステレオリソグラフィ装置。
（形態２２）
前記カートリッジ装置は、酸素に対して透過性であり且つ少なくとも一部材式で構成された底部を含むこと
を特徴とする、好ましくは形態１〜２１のいずれか一に記載のステレオリソグラフィ装置。
（形態２３）
製造された３次元対象物の取り外しを容易にする振動を発生させるための装置が設けられていること
を特徴とする、好ましくは形態１〜２２のいずれか一に記載のステレオリソグラフィ装置。
（形態２４）
複数のカートリッジ装置が該ステレオリソグラフィ装置へ取り付け可能であること
を特徴とする、好ましくは形態１〜２３のいずれか一に記載のステレオリソグラフィ装置。
（形態２５）
ステレオリソグラフィ装置において使用するためのカートリッジ装置であって、
該カートリッジ装置は、シェルにより包囲された内部空間を有し、該カートリッジ装置の前記シェルは、変形可能であり、前記内部空間は、少なくとも部分的に受容空間により構成される容積部を有し、前記受容空間内には、照射及び硬化過程の少なくとも一期間の間、所定量の感光性物質が受容可能であり、感光性物質の硬化を引き起こす光線が到達可能であること
を特徴とするカートリッジ装置。
（形態２６）
該カートリッジ装置は、ステレオリソグラフィ装置へ取り外し可能に取り付け可能であること
を特徴とする、好ましくは形態２５に記載のカートリッジ装置。
（形態２７）
情報支持体が設けられており、該情報支持体は、感光性物質に関する情報、特に感光性物質の量、種類、及び／又は状態、及び／又は３次元対象物の製造の過程のプロセスパラメータを保持すること
を特徴とする、好ましくは形態２５又は２６に記載のカートリッジ装置。